(57)【要約】  【課題】開栓時において栓棒とナット部材のネジのかかり具合を工夫して栓棒とナット部材の共回りを防止することができるコンパクトな止水構造を提供すること。  【解決手段】止水構造は、止水部の弁座２に対し前後に移動する弁体３を有する栓棒４を止水部の栓棒挿着口５に挿着してあり、内外面に雌ネジ６ａ、雄ネジ６ｂを有するナット部材６の雄ネジ６ｂを前記栓棒挿着口５の雌ネジａに螺着し、このナット部材６の穴Ｈ内に前記栓棒４を挿入して前記栓棒４の雄ネジ４ｂを前記ナット部材６の雌ネジ６ｂに螺着してあり、さらに、前記ナット部材６の雌ネジ６ａにつづく部分に、雌ネジ６ａが形成されていないネジ盗み部分８が設けてあり、ネジ盗み部分８の長さＬ≧栓棒４の雄ネジ４ａの長さ・としてある。【選択図】        図２
2018179204.tif 000002
【特許請求の範囲】
【請求項１】
止水部の弁座に対し前後に移動する弁体を有する栓棒を止水部の栓棒挿着口に挿着してある止水構造であって、内外面に雌ネジ、雄ネジを有するナット部材の雄ネジを前記栓棒挿着口の雌ネジに螺着し、このナット部材の穴内に前記栓棒を挿入して前記栓棒の雄ネジを前記ナット部材の雌ネジに螺着してあり、
さらに、前記ナット部材の雌ネジにつづく部分に、雌ネジが形成されていないネジ盗み部分が設けてあり、
ネジ盗み部分の長さＬ≧栓棒の雄ネジの長さ・
としてある止水構造。
【請求項２】
ネジを有さず且つ互いに当接する栓棒外面とナット部材内面との間にＯリングを設け、  当接する距離Ｄ≧弁開閉のため栓棒が移動する距離ｄ
としてある請求項１に記載の止水構造。
【発明の詳細な説明】
【技術分野】
【０００１】
本発明は、止水構造に関するものである。
【背景技術】
【０００２】
従来から、流路の中途に配設した弁座と、弁座に対し前後に移動して開閉動作する弁体とよりなる止水構造を備えたものとして例えば図４に示す止水栓４０が知られている。
【０００３】
この止水栓４０は、流路の上流側から順に、給水管（図示せず）に連通する流入口４１と、弁座４２と、弁座４２に対し前後に移動する弁体４３を有する栓棒４４と、流出口４５とを主として備えている。４６は、前後方向を回転軸とするハンドルである。
【０００４】
そして、ハンドル４６により栓棒４４を回転させると栓棒４４がネジＭ，Ｆにより前後運動することにより弁を開閉し止水・通水が行われるものである。
【０００５】
止水栓４０は、流入口４１、弁座４２、流出口４５が形成されている止水栓本体４７を備え、さらに、止水栓本体４７は所定寸法だけ前後方向に立ち上がる立ち上がり部４８を有し、栓棒４４の雄ネジＭを立ち上がり部４８に形成された雌ネジＦに螺着してある。
【発明の概要】
【発明が解決しようとする課題】
【０００６】
しかしながら、止水栓４０は、前後方向にさらに雌ネジを有する袋ナット４９が位置する構造を採用している。
【０００７】
又、弁体４３、栓棒４４、ハンドル４６、袋ナット４９以外に、金属リング５０、シール部材Ｓといった多数の部品が必要な構造を採用している。
【０００８】
そのために、以下の課題がある。
【０００９】
例えばシンク直下の空間内において、ハンドル４６を手前に向けた前出し状態で止水栓４０は設置されるが、袋ナット４９の前後長さ分だけ前出し寸法が長くなり、止水栓４０に邪魔されて前記空間が狭くなる上に、使用者の手が止水栓４０に当たり易くなるおそれがあるといった課題がある。
【００１０】
又、部品点数が多いので、コスト高になるおそれがあるといった課題がある。
【００１１】
さらには、多数の部品を組付ける煩雑な作業が必要で、組付作業の簡素化が望まれる。  
【００１２】
そこで、これらの課題を克服するために、図５に示す構造の止水栓（比較例）が考えられる。
【００１３】
例えば前後方向の長さが前記図４に示す立ち上がり部４８よりも短い筒状栓棒挿着口５４を採用して止水部の弁座５１に対し前後に移動する弁体５２を有する栓棒５３を筒状栓棒挿着口５４に挿着し、内外面に雌ネジ、雄ネジを有するナット部材５５を採用し、ナット部材５５の雄ネジを筒状栓棒挿着口５４の雌ネジに螺着し、このナット部材５５の穴ｈ内に栓棒５３を挿入し、栓棒５３の雄ネジをナット部材５５の雌ネジに螺着するようにする。５６は、弁体５２が開状態にあるとき、栓棒５３が、その雄ネジとナット部材５５の雌ネジとが螺着した状態で、当接しうる当たり部であり、ナット部材５５に形成されている。
【００１４】
ところが、図５に示す止水栓は、弁体５２が開状態にあるとき、更に開動作して、栓棒５３を弁体開方向に強く回すとナット部材５５に栓棒によるネジ力が加わり栓棒５３とナット部材５５の共回りが発生するといった不都合がある。これは、栓棒５３とナット部材５５のネジのかかり具合によるもので、開栓時に栓棒５３の雄ネジとナット部材５５の雌ネジとが螺着しながら栓棒５３がナット部材５５の当たり部５６に当たった状態でさらに栓棒５３を弁体開方向に回すように動作するからである。
【００１５】
最悪の場合、共回りによってナット部材５５が筒状栓棒挿着口５４から外れる事態が発生するおそれがある。
【００１６】
本発明は上述の事柄を考慮に入れてなされたものであり、開栓時において栓棒とナット部材のネジのかかり具合を工夫して栓棒とナット部材の共回りを防止することができるコンパクトな止水構造を提供する。
【課題を解決するための手段】
【００１７】
上記目的を達成するため、本願の請求項１に係る発明は、止水部の弁座に対し前後に移動する弁体を有する栓棒を止水部の栓棒挿着口に挿着してある止水構造であって、内外面に雌ネジ、雄ネジを有するナット部材の雄ネジを前記栓棒挿着口の雌ネジに螺着し、このナット部材の穴内に前記栓棒を挿入して前記栓棒の雄ネジを前記ナット部材の雌ネジに螺着してあり、
さらに、前記ナット部材の雌ネジにつづく部分に、雌ネジが形成されていないネジ盗み部分が設けてあり、
ネジ盗み部分の長さＬ≧栓棒の雄ネジの長さ・
としてある止水構造を提供する。
【００１８】
また、本願の請求項２に係る発明は、ネジを有さず且つ互いに当接する栓棒外面とナット部材内面との間にＯリングを設け、当接する距離Ｄ≧弁開閉のため栓棒が移動する距離ｄとしてある請求項１に記載の止水構造を提供する。
【発明の効果】
【００１９】
本願の請求項１に係る発明では、弁座に対し前後に移動する弁体を有する栓棒の雄ネジを前記ナット部材の雌ネジに螺着してあり、ナット部材の雌ネジにつづく部分に、雌ネジが形成されていないネジ盗み部分が設けてあり、そのネジ盗み部分の長さＬ≧栓棒の雄ネジの長さ・としてある。
【００２０】
そして、弁体が開状態にあるとき、更に開動作をすると、Ｌ≧・であることから、止水時にナット部材の雌ネジと螺着状態であった栓棒の雄ネジが、弁体の更なる後方移動によりナット部材の雌ネジから外れるとともに、前記ネジ盗み部分に至るようになる。
【００２１】
そして、前記ネジ盗み部分は、弁体をいくら開動作させても栓棒の雄ネジが空転する空間部分を形成している。
【００２２】
即ち、前記ネジ盗み部分では栓棒を弁体開方向に回すような栓棒によるネジ力が生ずることはない。
【００２３】
故に、弁体が開状態にあるとき、更に開動作をしてもナット部材に前記栓棒によるネジ力が加わらないため、栓棒とナット部材の共回りを防止することができ、ひいては、共回りでナット部材が栓棒挿着口から外れる事態を回避できてナット部材の外れによる漏水を防止できる。
【００２４】
又、立ち上がり部における前後方向にナット部材を位置させる従来技術に比べて、栓棒挿着口における左右方向にナット部材を位置させる本願の請求項１に係る発明の方がたとえ同じハンドルが栓棒に装着されていても、背丈の短いコンパクトな止水構造を提供でき、その結果、例えば止水栓に応用した場合には、使用勝手の良好な止水栓をうることができる。
【００２５】
本願の請求項２に係る発明では、ネジを有さず且つ互いに当接する栓棒外面とナット部材内面との間にＯリングを設け、当接する距離Ｄ≧弁開閉のため栓棒が移動する距離ｄとしてある。
【００２６】
即ち、本願の請求項２に係る発明では、栓棒が移動する距離ｄと同じ距離だけ、ナット部材内面を栓棒と共にＯリングが摺接・移動することから、栓棒外面とナット部材内面との間からの漏水を防止できる。
【００２７】
そして、栓棒が移動する距離ｄはＯリングの摺接・移動距離であり、漏水を防止しながら、開栓時における十分なリフト量を確保できる。
【００２８】
又、栓棒外面とナット部材内面はネジを有さず、距離Ｄだけ互いに当接している。即ち、本願の請求項２に係る発明では、栓棒外面は栓棒が移動する距離ｄ以上の距離Ｄでもってナット部材内面と当接しているので、栓棒の移動の際に、栓棒がグラつくといった不都合が生じるおそれはない。
【図面の簡単な説明】
【００２９】
【図１】本発明の一実施形態が適用された止水栓における弁体の開状態を示す断面図である。
【図２】上記実施形態における弁体の閉状態を示す断面図である。
【図３】本発明の他の実施形態が適用された止水栓における弁体の閉状態を示す断面図である。
【図４】従来例を示す断面図である。
【図５】比較例を示す図１に対応する図である。
【発明を実施するための形態】
【００３０】
以下、本発明の実施形態について説明する。なお、それによって本発明は限定されるものではない。
【００３１】
図１、図２は、給水管と水栓間に配置されるハンドルタイプの止水栓に適用した本発明の一実施形態を示す。図１は、開栓時を示し、図２は、止水時を示している。
【００３２】
図１、図２において、止水栓１は、止水部の弁座２に対し前後に移動する弁体３を有する栓棒４を止水部の筒状栓棒挿着口５に挿着してある。尚、両矢印Ａは、弁体３が移動する前後方向であり、矢印Ａ1 は開栓方向を示し、矢印Ａ2 は閉栓方向を示す。
【００３３】
弁体３は栓棒４の前端に設けられている。
【００３４】
６は、内外面に雌ネジ６ａ、雄ネジ６ｂを有するナット部材である。そして、前記雄ネジ６ｂは前記栓棒挿着口５の雌ネジａに螺着してある。
【００３５】
ナット部材６は、その穴Ｈ内に栓棒４が挿入されており、栓棒４の雄ネジ４ｂがナット部材６の雌ネジ６ａに螺着している。
【００３６】
７は、ハンドルで、栓棒４の後端に設けられている。
【００３７】
さらに、ナット部材６の雌ネジ６ａにつづく部分に、雌ネジ６ａが形成されていないネジ盗み部分８が設けられている。
【００３８】
前記ネジ盗み部分８は雌ネジ６ａが形成されていない空間部分（空室）である。この空間部分８では、栓棒４の雄ネジ４ｂが空転するような大きさに前記ネジ盗み部分８はＡ方向に沿って位置しており、そのＡ方向の長さＬと栓棒４のＡ方向に沿うよう形成された雄ネジ４ｂの長さ・が設定されている。
【００３９】
即ち、前記ネジ盗み部分８の長さＬを栓棒４の雄ネジ４ｂの長さ・以上に設定している（Ｌ≧・）。
【００４０】
一方、栓棒外面１０とナット部材内面１１は、ネジを有さず且つ互いに当接している。  
【００４１】
又、栓棒外面１０とナット部材内面１１との間にＯリング１２が設けられている。
【００４２】
ナット部材内面１１は、弁座２側からハンドル７側にかけて、順に、雌ネジ６ａ、長さＬのネジ盗み部分８を構成する湾曲面ｍ、当たり面１３及び栓棒外面との当接面ｎを含む。
【００４３】
栓棒外面１０は、弁座２側からハンドル７側にかけて、順に、段差面Ｔ、雄ネジ４ｂ、当たり面１３に当接するた当たり面１４、ナット部材内面１１との当接面ｎ’を含む。
【００４４】
前記Ｏリング１２は、当接面ｎ’と当接面ｎとの間に設けられている。そして、Ｄは、当接面ｎのＡ方向における距離である。又、ｄは、弁開閉のため栓棒４が移動する距離であり、そして、前記Ｏリング１２の移動距離でもあり、弁体３の移動距離（リフト量に対応する）でもある。
【００４５】
そして、当接する距離Ｄ≧弁開閉のため栓棒が移動する距離ｄとしてある。
【００４６】
而して、弁体３が開状態にあるとき、更に開動作をすると、Ｌ≧・であることから、止水時にナット部材６の雌ネジ６ａと螺着状態であった栓棒４の雄ネジ４ｂが、弁体３の更なる後方移動（Ａ1 方向への移動）によりナット部材６の雌ネジ６ａから外れるとともに、前記ネジ盗み部分８に至るようになる。
【００４７】
そして、前記ネジ盗み部分８は、弁体３をいくら開動作させても栓棒４の雄ネジ４ｂが空転する空間部分を形成していることから、ネジ盗み部分８では栓棒４を弁体開方向（Ａ1 方向）に回すような栓棒４によるネジ力が生ずることはない。
【００４８】
故に、弁体３が開状態にあるとき、更に開動作をしてもナット部材６に前記栓棒４によるネジ力が加わらないため、栓棒４とナット部材６の共回りを防止することができ、ひいては、共回りでナット部材６が栓棒挿着口５から外れる事態を回避できてナット部材６の外れによる漏水を防止できる。
【００４９】
又、栓棒４が移動する距離ｄと同じ距離だけ、ナット部材内面１１を栓棒４と共にＯリング１２が摺接・移動することから、栓棒外面１０とナット部材内面１１との間からの漏水を防止できる。
【００５０】
そして、栓棒４が移動する距離ｄはＯリング１２の摺接・移動距離であり、漏水を防止しながら、開栓時における十分なリフト量を確保できる。
【００５１】
又、栓棒外面１０は栓棒４が移動する距離ｄ以上の距離Ｄでもってナット部材内面１１と当接しているので、栓棒４の移動の際に、栓棒４がグラつくといった不都合が生じるおそれはない。
【００５２】
図３は、本発明の他の実施形態を示す。図３において、図１、図２示す符号と同一のものは、同一又は相当物である。
【００５３】
図３において、上記実施形態と異なる点は、ハンドルを設けないでドライバー等の工具で栓棒４を回転・開閉するように構成されている止水栓１’である点である。２０は、栓棒４の上端中央に形成された溝で、工具が差し込まれる。
【００５４】
尚、上記実施形態では、止水栓１，１’に適用したこのを示したが、本発明は、偏心管に適用してもよい。
【符号の説明】
【００５５】
２      弁座
３      弁体
４      栓棒
５      栓棒挿着口
６      ナット部材
６ａ    ナット部材の雌ネジ
６ｂ    ナット部材の雄ネジ
Ｈ      ナット部材の穴
４ｂ    栓棒の雄ネジ
８      ネジ盗み部分
Ｌ      ネジ盗み部分の長さ
・      栓棒の雄ネジの長さ
【図１】
2018179204.tif 000003
【図２】
2018179204.tif 000004
【図３】
2018179204.tif 000005
【図４】
2018179204.tif 000006
【図５】
2018179204.tif 000007